(57)【要約】【課題】  ディスクを装着するターンテーブルを備え、ラックローディングに形成したカム溝に先端ボスを遊嵌すると共に該ラックローディングの左右方向への移動に伴って上下動するトラバースユニットを備えたディスク装置であって、該ディスク装置の厚さ寸法を小さくする薄型ディスク装置の提供。【解決手段】  トラバースユニット１３の先端に設けたボス１６の先端部下側を切欠いて先を細くし、傾斜面２０を形成する。【選択図】    図４
2006066012.tif 000002
【特許請求の範囲】
【請求項１】
ディスクを載置して回転するターンテーブルと、該ディスクを再生・記録するピックアップを備えたトラバースユニットを装置内部に配置し、該トラバースユニットの後方端は弾性部材を介して本体に連結すると共に、前方端側には対向する位置にディスク搬送軌道と直交する左右方向へ摺動するラックローディングを配置し、該ラックローディングには上下溝と傾斜溝を連続したカム溝を形成し、上記トラバースユニットの前方端に突出したボスをカム溝に遊嵌してラックローディングの左右方向への移動に伴って上下傾動するトラバースユニットを備えたディスク装置において、上記カム下溝に接するボス先端部を切欠いて先を細くした傾斜面を形成したことを特徴とする薄型ディスク装置。
【請求項２】
トラバースユニットの下降位置でのボス傾斜面がカム溝の下溝下面と略平行するようにボス先端部傾斜面を形成した請求項１記載の薄型ディスク装置。                                                                        
【発明の詳細な説明】
【技術分野】
【０００１】
本発明はディスク装置であって、トラバースユニットのボス形状を工夫することで厚さを薄くした光ディスク装置に関するものである。
【背景技術】
【０００２】
ディスク装置ではディスクをターンテーブルに装着して回転することで、記録・再生が行われるが、上記ターンテーブルへの装着手段には色々ある。最も代表的な装着手段は、トレイを用いる方法であり、装置の正面に設けた開口から出入りするトレイにディスクを載せて装置内へ搬入して上記ターンテーブルに装着される。すなわち、トレイに載ったディスクは装置内に搬入して、ターンテーブルとクランパとの間に挟まれて回転し、回転と共にピックアップが移動して信号の再生が行われる。
【０００３】
又、装置正面に設けた開口からディスクを直接挿入することで、装置内に設けている引き込み装置により引き込まれてターンテーブルに装着することも出来る。この引き込み装置にも色々あり、開口奥の両側にベルトを取付けてディスクを挟み、該ベルトの走行と共にディスクを引き込むことが出来る。一方、回転ローラーを装着してディスクを挟み、該ローラーの回転と共に装置内へ引き込むように構成したディスク装置も知られている。
【０００４】
ところで、ターンテーブルへの何れの装着手段であっても、ディスクが装置内へ搬入される場合に、該ターンテーブルがディスクを再生可能とする位置にあっては、搬入されるディスクが該ターンテーブルと干渉してしまう。従って、ターンテーブル及びターンテーブルを回転駆動するモーター、そして、ディスクの信号情報を読み取るピックアップ装置はトラバースユニットに装着され、該トラバースユニットは一方を支点としてディスクの再生を可能とする位置及びディスクの再生状態を解除して該ディスクの搬送を可能とする位置の間で傾動出来るように取付けられ、装置内に搬入されたディスクが所定の位置に達したところで、トラバースユニットは上昇してディスクをクランパとの間で挟み込んで装着することが出来る構造と成っている。
【０００５】
ところで、本発明はディスク装置の薄型化を目的としたものであるが、その方法が色々ある中で、上記トラバースユニットの上下傾動範囲を小さくすることも１つである。トラバースユニットの傾動機構に関しての基本構造は共通し、後方端を軸支した状態で該トラバースユニットの前方先端部に設けているボスを左右方向に(ディスクの搬送軌道に対して直交する方向)摺動可能なカム板(ラックローディング)のカム溝に遊嵌している。従って、ラックローディングが左右方向に摺動するならば、トラバースユニットは上下方向に揺動することが出来る。
【０００６】
特開２００３−２２３７７６号に係る「ディスク装置」は、ドライブシャーシ(トラバースユニット)を傾動させる為の可動体を小形化したものであり、「ディスク押付け部材を取付けたドライブシャーシの長手方向一端部を、機枠に第１緩衝体を介して取付け、ドライブシャーシの自由端との対向箇所に配備したカム板のカム溝に案内されて昇降動作される可動体に、防振ゴムでなる第２緩衝体を介してドライブシャーシの自由端を連結している。そして可動体を中空筒状の軸体で形成し、軸体とドライブシャーシの自由端に突設した突起との間に第２緩衝体を圧入状態で介在させている。」
このように構成することで、ディスク装置の幅寸法を小さくすることは可能であるが、本発明が目的とするディスク装置の厚さ寸法の縮小は出来ない。すなわち、トラバースユニット先端ボスに緩衝体を介在して中空筒状のボスを取付けた構造としている為にカム溝の溝幅は拡大し、カム板(ラックローディング)の高さ寸法は拡大してしまう。結果的には、ディスク装置の厚さ寸法が大きくなる。
【０００７】
図７は従来の一般的なトラバースユニット１とラックローディング２との関係を表している。トラバースユニット１の前方端には円柱状のボス３が突出し、このボス３はラックローディング２のカム溝４に遊嵌している。同図の(ａ)はトラバースユニット１の上昇が完了し、ディスクの再生を可能とした位置にある場合、(ｂ)はトラバースユニット１の下降が完了し、ディスクを交換する為のトレイの搬送を可能とした位置にある場合を夫々示しており、ラックローディング２が左右方向に移動することでトラバースユニット１が昇降動する。すなわち、カム溝４に遊嵌しているボス３が上下動してトラバースユニット１が昇降動する。
【０００８】
ところで、同図から明らかなように、トラバースユニット１が(ａ)に示す上昇位置にある状態では、ボス３はカム溝４に隙間なく遊嵌しているが、(ｂ)に示す下降位置にある状態では、カム溝４との間に隙間５が発生する。図８はラックローディング２の正面図を示しており、カム溝４は上溝６、下溝７、及び傾斜溝８を連続して形成し、下溝７の溝幅ｂは上溝６の溝幅ａより大きく成っている。すなわち、ｂ＞ａの関係にある。
【０００９】
トラバースユニット１が上昇してターンテーブルにディスクが装着されて記録・再生が行われる際に、トラバースユニット１は定位置に安定しなくてはならず、上溝６はボス３との間に隙間があってはならない。しかし、トラバースユニット１が降下する際には、前記図７(ｂ)に示すように軸９を中心として揺動して傾斜する。その結果、ボス３が下溝７に遊嵌する為にはその溝幅ｂを僅かに大きくする必要がある。このように、下溝７の溝幅ｂを大きくする分だけ、ラックローディング２の高さ寸法が拡大してディスク装置の厚さ寸法も大きく成ってしまう。
【特許文献１】特開２００３−２２３７７６号に係る「ディスク装置」
【発明の開示】
【発明が解決しようとする課題】
【００１０】
このように、従来のディスク装置には上記のごとき問題がある。本発明が解決しようとする課題はこの問題点であり、ラックローディングの高さ寸法を縮めることで、厚さを薄くしたディスク装置を提供する。
【課題を解決するための手段】
【００１１】
本発明に係るディスク装置は、その厚さ寸法を縮める為にラックローディングの高さ寸法の縮小を図る。勿論、トラバースユニットの昇降距離を小さくすれば必然的にラックローディングの高さは小さくなるが、本発明では該トラバースユニットの昇降距離は従来と同じとする。本発明ではカム溝の下溝幅を小さくすることで、その分だけラックローディングの高さを縮小するように構成する。
【００１２】
そこで、下溝の溝幅を小さくしてもボスが遊嵌出来るように、該ボスの下面を切欠いている。ボス全体の寸法を小さくするのではなく、ボスの下面先端側を切欠くことで、ボス強度を低下させることなく寸法の縮小を図り、該ボスが遊嵌する下溝の溝幅を小さくすることが出来る。トラバースユニットの先端ボスとラックローディングのカム溝との接触位置は、トラバースユニットが降下した状態での回転半径が最も長くなり、ボスは先端側にて下溝と接する。そこで、この先端側下面を一部切欠いた形状とする。
【発明の効果】
【００１３】
本発明では、トラバースユニットの先端ボス下面を切欠いた形状としている。しかも先端側を切欠いている為に、トラバースユニットが上昇位置にある時はボスの基部がカム溝に遊嵌して接し、下降位置にある時は傾斜する為に切欠かれた先端側が遊嵌して接する。従って、カム溝の下溝幅を小さくすることが出来、ラックローディングの高さ寸法を小さく出来る。
【００１４】
又、ボスの下面を切欠くことで、下溝に遊嵌するボスは線接触又は面接触と成って、下降位置でのトラバースユニットは安定する。従って、トラバースユニットの下降位置におけるガタ付き防止が図られ、外的衝撃又は振動による不快音を抑えることが出来る為に、ディスク装置の品質向上に繋がる。
【実施例】
【００１５】
図１は本発明に係るトレイを備えたディスク装置の平面図、図２(ａ)、(ｂ)は断面図を示している。同図の１１はトレイ、１２は本体、１３はトラバースユニットを示し、図１及び図２の(ａ)はトレイ１１が装置本体１２から搬出されてトラバースユニット１３が下降した状態にあり、図２(ｂ)はトレイ１１が搬入され、トラバースユニット１３が上昇して水平状態にある。トラバースユニット１３が下降した状態では、ターンテーブル１４はディスクの搬入通路より下降した位置にあり、トレイ１１が搬入されて所定の位置にディスクが達した状態でトラバースユニット１３が上昇し、ターンテーブル１４はディスクの中央穴に嵌入する。
【００１６】
このようにトラバースユニット１３にはディスクを装着して回転するターンテーブル１４、及びその駆動モーター、そしてディスクの情報を読み取るために移動する光ピックアップを備えている。そしてディスクと光ピックアップの距離が変化しないように、ディスク装置本体に振動や衝撃が作用してもトラバースユニット１３には伝わらない支持構造と成っている。
【００１７】
図３はトレイを備えないディスク装置の平面図であり、ディスクは装置本体１２のフロント入口から直接挿入される。そして、ディスクの挿入と共にトラバースユニット１３が上昇してターンテーブル上に載置される。このように、何れの形式のディスク装置の場合もトラバースユニット１３を備え、ディスクの搬入・搬出に伴って該トラバースユニット１３は昇降動する。そして、トラバースユニット１３の昇降動作はラックローディングの左右方向の摺動動作によって行われる。
【００１８】
図４は本発明のトラバースユニット１３とラックローディング１５との関係を表している。トラバースユニット１３の前方端には概略円柱状のボス１６が突出し、このボス１６はラックローディング１５のカム溝１７に遊嵌している。同図の(ａ)はトラバースユニット１３が上昇位置にある場合、(ｂ)はトラバースユニット１３が下降位置にある場合をそれぞれ示しており、ラックローディング１５が左右方向に移動することで昇降動する。すなわち、カム溝１７に遊嵌しているボス１６が上下動してトラバースユニット１３が昇降動する。この点は、従来のディスク装置と同じである。
【００１９】
ところで、同図から明らかなように、トラバースユニット１３のボス１６は完全な円柱形ではなく下面が切欠かれ、しかも先端側だけが切欠かれて細く成っており、基部は完全な円柱状のままである。トラバースユニット１３が(ａ)に示す上昇位置にある状態では、ボス１６の基部１８がカム溝１７に遊嵌している。一方、(ｂ)に示す下降位置では、ボス１６の切欠かれた先端部１９が遊嵌している。
【００２０】
図４(ｂ)に示すようにトラバースユニット１３が下降位置で傾斜する場合、ボス１６の先端部１９の切欠き傾斜面２０は、カム溝１７の下面２１と線接触又は面接触することが出来るように、水平面と成っている。同図のボス１６の先端部１９が切欠かれない場合を点線で示しているが、この場合には先端のＡ点までカム溝１７の溝幅としなくてはならない。本発明では、ボス先端部下面を切欠くことで、カム溝の溝幅が小さくなり、ひいてはラックローディング１５の高さ寸法を縮小することが可能と成る。
【００２１】
図５はラックローディング１５の正面図であり、カム溝１７が形成されている。
同図の点線が従来のカム溝を示し、実線が本発明のカム溝１７を表しており、下溝２５は従来に比較して上方に位置することが出来、その結果、ラックローディング１５の下片２２も上方へ位置することで高さ寸法を小さくすることが可能と成る。
【００２２】
図６は上昇位置にあるトラバースユニット１３が下降位置へ移行する場合のラックローディング１５の動きと、ボス１６の動きを表している。ラックローディング１５は矢印方向の右側へ移動し、それに伴ってボス１６は上溝２３から傾斜溝２４、及び下溝２５へと移動することが出来る。(ａ)はボス１６が上溝２３に位置している場合、(ｂ)、(ｃ)、(ｄ)はボス１６が傾斜溝２４に位置している場合、(ｅ)はボス１６が下溝２５に位置している場合である。
【図面の簡単な説明】
【００２３】
【図１】トレイが搬出されたディスク装置の平面図。
【図２】ディスク装置の断面図で、(ａ)はトレイが搬出されてトラバースユニットが下降している場合、(ｂ)はトレイが搬入されてトラバースユニットが上昇している場合。
【図３】トレイのないディスク装置の平面図。
【図４】本発明に係るディスク装置のトラバースユニットにおけるボスとラックローディングの関係。
【図５】ラックローディングの正面図。
【図６】ラックローディングの移動に伴うボスの動き。
【図７】従来のディスク装置のトラバースユニットにおけるボスとラックローディングの関係。
【図８】従来のラックローディングの正面図。
【符号の説明】
【００２４】
11  トレイ
12  本体
13  トラバースユニット
14  ターンテーブル
15  ラックローディング
16  ボス
17  カム溝
18  基部
19  先端部
20  傾斜面
21  下面
22  下辺
23  上溝
24  傾斜溝
25  下溝
【図１】
2006066012.tif 000003
【図２】
2006066012.tif 000004
【図３】
2006066012.tif 000005
【図４】
2006066012.tif 000006
【図５】
2006066012.tif 000007
【図６】
2006066012.tif 000008
【図７】
2006066012.tif 000009
【図８】
2006066012.tif 000010